(57)【要約】せき板パネルを固定する枠にセパレーターを固定する場合において、セパレーター端部の切断を不要とする。  コンクリート型枠工法に用いる、せき板の側縁を固定する枠Ｘとして、上下に延びる長尺の本体と、前記本体の少なくとも一方の側面に形成される、せき板側縁に係合する縦溝からなるせき板保持部１０ａと、本体表面から背面側に向って形成される、フォーム固定具基端部が収まる空間からなる空洞部３０と、本体背面から前記空洞部３０に至る貫通孔からなる、一以上のセパレーター孔２１とを設ける。
2008149543.tif 000002
【特許請求の範囲】
【請求項１】
コンクリート型枠工法に用いる、せき板の側縁を固定する枠であって、
上下に延びる長尺の本体と、
前記本体の少なくとも一方の側面に形成される、せき板側縁に係合する縦溝からなるせき板保持部と、
本体表面から背面側に向って形成される、フォーム固定具基端部が収まる空間からなる空洞部と、
本体背面から前記空洞部に至る貫通孔からなる、一以上のセパレーター孔と
を有するせき板取り付け枠。
【請求項２】
前記セパレーター穴は二以上形成されるものであって、前記空洞部は複数のセパレーター穴を包含するように前記本体内部で前記本体の長手方向に延びるように形成されるものである請求項１に記載のせき板取り付け枠。
【請求項３】
前記せき板保持部は、前記本体の側面の幅よりも狭い幅で、裏面側に偏った位置に形成される請求項１又は２に記載のせき板取り付け枠。
【請求項４】
前記せき板保持部は、第一の縦溝からなる第一保持部と、第一保持部の底面に形成される第一保持部の溝幅よりも狭い溝幅を有する第二の縦溝からなる第二保持部とを有する請求項１から３のいずれか１項に記載のせき板取り付け枠。
【請求項５】
前記セパレーター孔には前記セパレーター先端の雄ねじが係合する雌ねじが形成されている請求項１から４のいずれか１項に記載のせき板取り付け枠。
【請求項６】
前記本体の裏面には、裏面にほぼ垂直に立設される一以上の板状部材を有する請求項１から５のいずれか１項に記載のせき板取り付け枠。
【請求項７】
前記本体の裏面には、長手方向に延びる蟻溝が形成される請求項１から６のいずれか１項に記載のせき板取付枠
【請求項８】
前記セパレーター孔に替えて、前記空洞部内に立設された雄ねじを有する２の請求項１から４のいずれか１項に記載のせき板取り付け枠を一定間隔を空けて裏面同士が向かい合うように対向させ、各裏面同士を板材もしくは棒材により連結固定した、
せき板取り付け枠ユニット。
【請求項９】
請求項１から７のいずれか１項に記載のせき板取付枠とせき板とを係合させて立設するせき板設置工程と、
前記せき板取付枠の前記セパレーター孔に先端が前記空洞部内に収まるようセパレーターを通すセパレーター貫通工程と、
空洞部内に突出するセパレーターの先端に対し、前記空洞部表面側からフォーム固定具基端部を通し、フォーム固定具により支保工を固定する支保工固定工程と、
コンクリートを打設してコンクリート躯体を形成するコンクリート打設工程と、
支保工及びフォーム固定具を取り外す除去工程と
を有するコンクリート構造物の型枠工法。
【請求項１０】
請求項８項に記載のせき板取付枠ユニットとせき板とを係合させて立設するせき板設置工程と、
前記空洞部内に突出する雄ねじに対し、前記空洞部表面側からフォーム固定具基端部を通し、フォーム固定具により支保工を固定する支保工固定工程と、
コンクリートを打設してコンクリート躯体を形成するコンクリート打設工程と、
支保工及びフォーム固定具を取り外す除去工程と
を有するコンクリート構造物の型枠工法。
【発明の詳細な説明】
【技術分野】
【０００１】
本発明は建築工事におけるコンクリート型枠工法に用いられるせき板を固定するせき板取付枠及びこれを用いた型枠工法に関し、特に、せき板をコンクリート硬化後に建築物の一部として用いるせき板取付枠及び型枠工法に関する。
【背景技術】
【０００２】
従来のコンクリート型枠を用いた工法において、型枠パネルと断熱材パネルを兼用して用いることが行われている。具体的には、下記特許文献１に示されるような型枠パネル兼用の内外装下地部材が製造段階で組み込まれている合成樹脂発泡体の型枠断熱パネルを、組み立てて型枠としてコンクリートを打設する。そして、コンクリート硬化後に、パネルを撤去することなく、予め組み込まれている内外装下地部材に内外装材類を取り付ける。この方法によれば、型枠パネルの撤去作業および断熱材の新たな取り付け作業が不要になり、作業性が高い。
このような内外装下地兼用の型枠パネルを建て込む際には、各パネル間にＨ型鋼を立て、Ｈ型鋼の溝にパネルの側縁部を係合させることで、各パネルを固定している。
また、型枠パネルの建て込みに際しては、対向する型枠パネル同士の幅を一定にするためにセパレーターを固定する必要がある。この場合、型枠パネルに予め孔を開けておき、セパレーターをこの孔に通してボルトで固定するが、コンクリート硬化後は、型枠パネルを取り外すことができないので、セパレーターの型枠パネルから突出する端部は、切断するか、内外装部材の固定に用いられることとなる。
【特許文献１】特開平５−１７１７２３号
【発明の開示】
【発明が解決しようとする課題】
【０００３】
しかし、セパレーター端部の切断作業は手間が掛かり、また、内外装の固定位置とセパレーターの位置が常に一致するわけではないので、セパレーターの端部を内外装の固定に用いることができる場合は多くなく、内外装の固定に用いない場合はやはりセパレーター端部を切断しなければならない。
また、せき板パネルを固定する枠に、セパレーターを固定できればせき板にセパレーターを固定する場合に比較して作業性がよい。即ち、枠を先に立設してから、せき板パネルを固定する場合は、枠を立設した状態でセパレーターを固定することで、作業空間に余裕ができるので、作業が容易になり、また、枠とせき板パネルを順々に固定する場合でも、対向する枠が固定された段階でセパレーターを固定することで、端部での作業となり、やはり、作業が容易となる。
以上のことを鑑みて、本発明は、せき板パネルを固定する枠にセパレーターを固定する場合において、セパレーター端部の切断を不要とすることを課題とする。
【課題を解決するための手段】
【０００４】
上記課題を解決するために、本発明は次のような構成を有する。
請求項１に記載の発明は、コンクリート型枠工法に用いる、せき板の側縁を固定する枠であって、上下に延びる長尺の本体と、前記本体の少なくとも一方の側面に形成される、せき板側縁に係合する縦溝からなるせき板保持部と、本体表面から背面側に向って形成される、フォーム固定具基端部が収まる空間からなる空洞部と、本体背面から前記空洞部に至る貫通孔からなる、一以上のセパレーター孔とを有するせき板取付枠である。なお、縦溝は側面に穴や切り欠きが形成されていてもよい。
請求項２に記載の発明は、前記せき板取付枠において、前記セパレーター穴は二以上形成されるものであって、前記空洞部は複数のセパレーター穴を包含するように前記本体内部で前記本体の長手方向に延びるように形成されるものである。
請求項３に記載の発明は、前記せき板取付枠において、前記せき板保持部は、前記本体の側面の幅よりも狭い幅に形成され、裏面側に偏った位置に形成されるものである。
請求項４に記載の発明は、前記せき板取付枠において、前記せき板保持部は、第一の縦溝からなる第一保持部と、第一保持部の底面に形成される第一保持部の溝幅よりも狭い溝幅を有する第二の縦溝からなる第二保持部とを有するものである。【０００５】
請求項５に記載の発明は、前記せき板取付枠において、前記セパレーター孔にはセパレーター先端の雄ねじに係合する雌ねじが形成されているものである。
請求項６に記載の発明は、前記せき板取付枠において、前記本体の裏面には、裏面にほぼ垂直に立設される一以上の板状部材を有するものである。
請求項７に記載の発明は、前記せき板取付枠において、前記本体の裏面には、長手方向に延びる蟻溝が形成されるものである。
請求項８に記載の発明は、前記セパレーター孔に替えて、前記空洞部内に立設された雄ねじを有する２の請求項１から４に記載のせき板取り付け枠を一定間隔を空けて裏面同士が向かい合うように対向させ、各裏面同士を板材もしくは棒材により連結固定した、せき板取り付け枠ユニットである。【０００６】
請求項９に記載の発明は、前記せき板取付枠とせき板とを係合させて立設するせき板設置工程と、前記せき板取付枠ユニットの前記セパレーター孔に先端が前記空洞部内に収まるようセパレーターを通すセパレーター貫通工程と、空洞部内に突出するセパレータの先端に対し、前記空洞部表面側からフォーム固定具基端部を通し、フォーム固定具により支保工を固定する支保工固定工程と、コンクリートを打設してコンクリート躯体を形成するコンクリート打設工程と、支保工及びフォーム固定具を取り外す除去工程とを有するコンクリート構造物の型枠工法である。
請求項１０に記載の発明は、請求項８項に記載のせき板取付枠ユニットとせき板とを係合させて立設するせき板設置工程と、前記空洞部内に突出する雄ねじに対し、前記空洞部表面側からフォーム固定具基端部を通し、フォーム固定具により支保工を固定する支保工固定工程と、コンクリートを打設してコンクリート躯体を形成するコンクリート打設工程と、支保工及びフォーム固定具を取り外す除去工程とを有するコンクリート構造物の型枠工法である。
【発明の効果】
【０００７】
請求項１に記載の発明は、せき板を解体せずにコンクリート躯体の一部として残すコンクリート型枠工法において、せき板保持部によりせき板を保持した状態において、セパレーターの端部が空洞部に収まり、この空洞部にフォーム固定具端部を固定して支保工を組むことができ、コンクリート硬化後支保工を解体するとセパレーターの端部が表面側に突出しないので、セパレーターの端部を切断することなく、枠体表面側に内外装材を設けることができる。
請求項２に記載の発明は、空洞部が長手方向に延びるように形成されることで、コンクリート硬化後に内外装仕上げを行う際、この縦方向に延びる空洞部に配線や配管を通すことができる。
請求項３に記載の発明は、前記せき板保持部を前記本体の側面の幅よりも狭い幅に形成され、裏面側に偏っているので、表面側に内外装部材を固定すると、せき板を構成するパネルの表面側と内外装部材の裏面側とに隙間ができ、ここに、内外装仕上げ時に配線や配管を通すことができる。
請求項４に記載の発明は、第一保持部と第二保持部の２つの幅の異なる保持部を有するので、異なる２種類の厚さを有するせき板に用いることができる。【０００８】
請求項５に記載の発明は、前記セパレーター孔に雌ネジが形成されることで、セパレーター先端が固定されるので、型枠組み立て時に、セパレーターをボルト等で固定する必要がなくなる。
請求項６に記載の発明は、板状部材を本体の裏面側に有することで、コンクリート打設時に板状部分がコンクリート内に存した状態となり、コンクリート硬化後本体がしっかりとコンクリート躯体に固定できる。
請求項７に記載の発明は、本体の裏面に蟻溝を設けることで、コンクリート打設時にコンクリートが蟻溝内に充填され、この状態でコンクリートが硬化すると、コンクリート躯体から本体が構造的に抜けなくなるので、コンクリート躯体と本体とがしっかりと固定されることになる。
請求項８に記載の発明は、請求項１に記載の発明と同様、コンクリート硬化後は雄ねじが空洞内部に隠れるので、支保工を解体すると直ぐに内外装部材を固定することができる。そして、セパレーターを固定する必要がないので、型枠組み立てに際して、作業労力を低減することができる。【０００９】
請求項９に記載の発明は、支保工を枠本体に固定するので、縦端太材を固定することが不要となり、また、支保工を解体してフォーム固定具を取り外すと、セパレーターが枠の表面側から突出しないようにできるので、セパレーター先端を切断することなく、内外装部材を枠表面に固定することができる。
請求項１０に記載の発明は、やはり、支保工を枠本体に固定するので、縦端太材を固定することが不要となり、フォーム固定具を取り外すと、直ちに内外装部材を枠表面に固定することができる。さらに、型枠組み立て時にセパレーターを固定する作業が不要であるので作業労力を低減することができる。
【発明を実施するための最良の形態】
【００１０】
以下、本発明の実施の形態について、図面を参照しながら説明する。
（実施形態１）
図１（ａ）（ｂ）に実施形態１に係るせき板取付枠Ｘを表す斜視図を示し、図２にせき板取付枠Ｘの横断面図を示す。図１（ａ）はせき板取付枠Ｘを表面側から見た図であり、図１（ｂ）はせき板取付枠Ｘを裏面側から見た図である。せき板取付枠Xは、本体が長尺の柱状体であり、裏面を構成する長尺の板体１１に、2本の断面Ｌ字状の長尺のアングル１２、１２を水平部分が両側に張り出すように対向させて溶接固定されている。板体１１には、長手方向に一定間隔で並ぶように、セパレーターを貫通させる孔であるセパレーター孔２１が形成されている。また、図１（ｂ）に示すように、板体１１の裏面側には、短冊状のアンカー部材１４が、セパレーター孔２１部分が表出するように間隔を空けて、複数溶接固定されている。なお、アンカー部材１４は、セパレーター孔２１から側方のずれた位置に設けてもよく、この場合は、セパレーター孔２１を避ける必要がないので、上尺の部材としてもよい。また、アングル１２、１２の前面の間には、複数の長方形状の板体である補強板１３が、表面の位置がアングル１２の表面の位置と一致するように溶接固定されている。なお、補強板１３同士の間に形成される長方形状の開口３１は、丁度セパレーター孔２１の正面部分に位置するように設定され、また、想定されるフォーム固定具の基端部が入る程度の大きさに設定される。このような構成により、せき板取付枠Ｘの真ん中には、四角柱状の長手方向に連なる空洞部３０が形成され、前面の長方形状の開口から挿入されるフォーム固定具の基端部を内部に収容できるようになっている。また、板体１１の両端表側部分と、Ｌ字アングル１２の裏面と外側面により縦溝部分が形成されるが、この部分がせき板側縁に係合するせき板保持部１０ａを構成する。【００１１】
次に、このせき板取付枠Ｘを用いたコンクリート構造物の型枠工法について説明する。まず、せき板固定枠Ｘを裏面を対向させて、型枠を形成する所定位置に設置し、互いのセパレーター孔１２に図３に示すように、セパレーターＳを通し、セパレーターＳの空洞部３０内部に突出するセパレーターＳの端部に、せき板取付枠Ｘの表面側の開口３１から挿入したフォーム固定具Ｆの基端部を螺合し固定する。その後、せき板取付枠Ｘのせき板保持部１０ａに、せき板Ｂの端部を係合させる。なお、ここで用いるせき板Ｂは、断熱材を兼用している。その後、せき板Ｂの開放されている端部にせき板取付枠Ｘを固定し、順次、セパレーターＳ、フォーム固定具Ｆを固定し、せき板保持部１０ａに、せき板Ｂの端部を係合させるという作業を順次繰り返すことで、型枠を形成していく。さらに、フォーム固定具Ｆを用いて横端太材を一定間隔固定し、その他必要な支保工により型枠を補強する。なお、せき板取付枠Ｘが縦端太材の役割を果たすので、縦端太材を固定する必要はない。その後、コンクリートを打設し、養生・硬化させる。この状態で、せき板取付枠Ｘのアンカー部材１４はコンクリート内部に埋設された状態となり、せき板取付枠Ｘはしっかりとコンクリートに固定される。その後、横端太材他の支保工を取り外し、せき板取付枠Ｘの表面や、せき板Ｓの表面に内外装部材Ｎを釘、ビスで固定し仕上げを行う。なお、せき板取付枠Ｘの空洞部３０は、配線や配管を通す空間として利用することも可能である。また、アンカー部材１４は、コンクリート面からの分離防止の他に、縦目地を確実に形成できることから誘発目地の役割が期待できる。【００１２】
（実施の形態１の変形例）
図４（ａ）に実施形態１に係るせき板取付枠Ｘの変形例であるせき板取付枠Ｘ２の斜視図を示し、図４（ｂ）にせき板取り付け枠Ｘ２の横断面図を示す。せき板取付枠Ｘ２は、せき板取付枠Ｘのせき板保持部１０ａを形成する縦溝の底面に、長尺の板状部材１５を立設固定することで、せき板取付枠の幅よりも狭い幅を有する縦溝からなるせき板保持部１０ｂを形成したものである。
このような構成により、図４（ｃ）に示すように、幅の狭いせき板Ｂを固定できるとともの、内外装部材Ｎをせき板取付枠Ｘ２に固定した際に、せき板と内外装部材Ｎとの間に空間ＳＰが形成されるので、せき板取付枠Ｘ２の空洞部３０に加えて、この空間ＳＰを配線等に利用することができる。【００１３】
（実施形態２）
図５（ａ）（ｂ）に実施形態２に係るせき板取付枠Ｙの斜視図を示す。図５（ａ）はせき板取付枠Ｙを表面側から見た図であり、図５（ｂ）はせき板取付枠Ｙを裏面側から見た図である。せき板取付枠Ｙは、本体となる断面長方形状の柱体４０の両側面に、縦溝４０ａ、４０ｂを形成した形状を有している。縦溝４０ａは側方の幅の４分の３程度の幅をもつ溝であり、縦溝４０ｂは、縦溝４０ａより幅が狭く、縦溝４０ａの底面に形成される、縦溝４０ｂと一方の内側面を共有する溝である。そして、縦溝４０ａ、４０ｂのそれぞれがせき板側縁に係合する第１及び第２の縦溝としてせき板保持部４０ａ、４０ｂを構成する。柱体４０の表面から裏面にかけては、長手方向に並ぶように複数の貫通孔からなるセパレーター孔４１が形成される。さらに、柱体４０の表面には、セパレーター孔４１の位置に、想定されるフォーム固定具の基端部が収まる程度の内径を有するザグリ孔が形成される。このザグリ孔により空洞部４５が形成される。また、裏面のセパレーター孔４１が並ぶ線に沿って、蟻溝４３が形成されている。【００１４】
このせき板取付枠Ｙを用いたコンクリート構造物の型枠工法は、実施形態１に係るコンクリート構造物の型枠工法とほぼ同様の手順で行われる。即ち、せき板固定枠Ｙを裏面を対向させて、型枠を形成する所定位置に設置し、互いのセパレーター孔４１に図６に示すように、セパレーターＳを通し、セパレーターＳの空洞部４５内部に突出するセパレーターＳの端部にフォーム固定具Ｆの基端部を螺合し固定する。その後、せき板取付枠Ｙのせき板保持部４０ａ又は４０ｂに、せき板Ｂ１又はＢ２の端部を係合させる。いずれのせき板保持部を用いるかは、固定するせき板の厚さにより適宜選択される。その後、せき板の開放されている端部にせき板取付枠Ｙを固定し、順次、セパレーターＳ、フォーム固定具Ｆを固定し、せき板保持部４０ａ又は４０ｂに、せき板Ｂ１又はＢ２の端部を係合させるという作業を順次繰り返すことで、型枠を形成していく。さらに、フォーム固定具Ｆを用いて横端太材を一定間隔固定し、その他必要な支保工により型枠を補強する。なお、やはりせき板取付枠Ｙが縦端太材の役割を果たすので、縦端太材を固定する必要はない。その後、コンクリートを打設し、養生・硬化させる。この状態で、せき板取付枠Ｙの蟻溝４３内にコンクリートが充填された状態となり、せき板取付枠Ｙはしっかりとコンクリートに固定される。その後、横端太材他の支保工を取り外し、せき板取付枠Ｙの表面や、せき板Ｓの表面に内外装部材Ｎを釘、ビスで固定し仕上げを行う。
せき板取付枠Ｙは、２つの異なる厚さのせき板に対応できるせき板保持部４０ａ、４０ｂを有するので、状況に応じて、２種類のせき板を選択することができる。なお、せき板保持部の数は、２つに限らず３以上設けてもよい。【００１５】
（実施形態３）
図７（ａ）（ｂ）に実施形態３に係るせき板取付枠Ｚの斜視図を示す。図７（ａ）はせき板取付枠Ｚを表面側から見た図であり、図７（ｂ）はせき板取付枠Ｚを裏面側から見た図である。せき板取付枠Ｚは、扁平な角パイプ状の柱体５１を有する。柱体５１の裏面側にセパレーターの端部が係合できるネジ孔からなるセパレーター孔６１が、長手方向に複数配列され、表面側には、セパレーター孔６１に対向する位置に、想定されるフォーム固定具の基端部が挿入できる開口７１が形成されている。このような構成により、柱体５１の真ん中には、四角柱状の長手方向に延びる空洞部７０が形成され、前面の円形の開口７１から挿入されるフォーム固定具の基端部を内部に収容できるようになっている。
柱体５１の裏面側には、複数の短冊状の板体である脚板５３が、セパレーター孔６１部分が表出するように間隔を空けて、複数溶接固定されている。そして、脚板５３の柱体５１と反対の縁部には長尺の板体である背面板５２が溶接固定されている。なお背面板５２のセパレーター孔７１に対向する位置には、セパレーターを通すための貫通孔６２が形成されている。このような構成により、背面板５２の表面側と、柱体５１の裏面側と、脚板５３の側面とで縦溝が形成され、この部分がせき板側縁に係合するせき板保持部５０ａを構成する。【００１６】
このせき板取付枠Ｚを用いたコンクリート構造物の型枠工法も、実施形態１に係るコンクリート構造物の型枠工法とほぼ同様の手順で行われる。即ち、せき板固定枠Ｚを裏面を対向させて、型枠を形成する所定位置に設置する。なお、この際、図８（ａ）に示すような断面コの字状の長尺のアングルからなる連結レール２００を用いてもよい。連結レール２００の底面には、一定間隔で貫通孔２０４が設けられているので、連結レール２００をせき板の設置位置に敷き、この貫通孔２０４から適当なアンカー部材により連結レール２００を地面に固定し、連結レール２００の垂直に立った板面に設けられた切り欠き２０２、２０３に図の想像線で示すように、せき板取付枠Ｚの下端を挿入して固定する。
その後、対向して設置されたせき板取付枠Ｚの互いのセパレーター孔７１に図９に示すように、セパレーターＳを通し、柱体５１の開口７１からフォーム固定具Ｆの基端部を通し、セパレーターＳの空洞部７０内部に突出するセパレーターＳの端部にフォーム固定具Ｆの基端部を螺合し固定する。その後、せき板取付枠Ｚのせき板保持部５０ａに、せき板Ｂの端部を係合させる。その後、せき板Ｂの開放されている端部および連結レール２００の切り欠き２０２、２０３にせき板取付枠Ｚを固定し、順次、セパレーターＳ、フォーム固定具Ｆを固定し、せき板保持部５０ａに、せき板Ｂの端部を係合させるという作業を順次繰り返すことで、型枠を形成していく。【００１７】
なお、せき板Ｂをさらに上方に設置する必要がある場合には、図８（ｂ）に示すような、断面Ｈ状の長尺のアングルから構成される中間連結レール３００を用いる。即ち、中間連結レール３００の垂直に下垂して形成される板面に設けられた切り欠き３０３、３０４に既に設置されているせき板取付枠Ｚの上端を挿入して連結レール３００を固定する。そして、この連結レール３００の垂直に立って形成される板面に設けられた切り欠き３０３、３０４に、新たに上部に設置するせき板取付枠Ｚの下端を挿入して固定する。以下、上記と同様の手順で、連結レール３００の上方にもせき板取付枠Ｚ、せき板Ｂを固定していくことができる。
せき板Ｂの設置が完了したら、フォーム固定具Ｆを用いて横端太材を一定間隔固定し、その他必要な支保工により型枠を補強する。なお、やはりせき板取付枠Ｚが縦端太材の役割を果たすので、縦端太材を固定する必要はない。その後、コンクリートを打設し、養生・硬化させる。そして、横端太材他の支保工を取り外し、せき板取付枠Ｚの表面や、せき板Ｓの表面に内外装部材Ｎを釘、ビスで固定し仕上げを行う。【００１８】
また、コーナー部分に関しては、図１０に示すような、外隅部せき板取付枠Ｐを用いる。外隅部せき板取付枠Ｐは、断面がくの字型のパイプ状の柱体Ｐ１を有し、当該柱体の裏面をなす内角側に長尺の板体Ｐ２を、当該内角を２分するように設け、板体の縁部に、断面がくの字型のアングルＰ３を、外角を構成する縁部を板体の縁部とが一致するように固定した構造を有する。
図１１に、せき板取付枠Ｚ、外隅部せき板取付枠Ｐを用いて、構造物をコンクリートにより打設し、内外装仕上げをしたコンクリート構造物のコーナー部分の横断面図を示す。図に示すように、外隅部せき板取付枠Ｐは、せき板取付枠Ｚと併せてコーナー部のせき板を保持する役割を有するが、セパレーターは固定されない。また、内側のコーナー部には、せき板面が直角に交わるように形成された、コーナー用せき板ＣＳが用いられる。【００１９】
（実施形態４）
図１２に実施形態４に係るせき板取付枠ユニットＶの斜視図を示す。せき板取付枠ユニットＶは、実施形態３に係るせき板取付定枠ユニットＺを裏面同士を対向させて、裏面同士を複数の長尺の板体からなるセパレーター板１２０により溶接して連結した形状に近似する。相違点は、フォーム固定枠ユニットＶには、セパレーターを通すセパレーター孔が設けられておらず、フォーム固定枠Ｚにおける空洞部のセパレーター貫通孔が設けられていた位置に雄ねじ９１が立設して固定されている点である。また、脚板５３はセパレーター穴６１部分を避ける必要がないので、一枚の長尺な板体により形成される。【００２０】
このせき板取付枠ユニットＶを用いたコンクリート構造物の型枠工法について説明する。まず、せき板取付枠ユニットＶはセパレーターの代わりをセパレーター板１２０が担うので、セパレーターの固定作業を要しない。まず、せき板固定枠ユニットＶを、型枠を形成する所定位置に設置する。この際、やはり、図８（ａ）に示す連結レール２００を用いるのが望ましい。次に、開口７１から図１１に示すように、フォーム固定具Ｆの基端部を通し、空洞部７０内部に突出する雄ねじ９１にフォーム固定具Ｆの基端部を螺合し固定する。その後、せき板取付枠ユニットＶのせき板保持部５０ａに、せき板Ｂの端部を係合させる。その後、せき板Ｂの開放されている端部および連結レール２００の切り欠き２０２、２０３にせき板取付枠Ｖを固定し、順次、フォーム固定具Ｆを固定し、せき板保持部５０ａに、せき板Ｂの端部を係合させるという作業を順次繰り返すことで、型枠を形成していく。なお、せき板Ｂをさらに上方に設置する必要がある場合には、実施形態３と同様に、図８（ｂ）に示すような、断面Ｈ状の長尺のアングルから構成される中間連結レール３００を用いればよい。また、コーナー部分に関しては、図１０に示すような外隅部せき板取付枠Ｐを用いて、図１１に示すように固定することができる。
せき板Ｂの設置が完了したら、フォーム固定具Ｆを用いて横端太材を一定間隔固定し、その他必要な支保工により型枠を補強する。なお、やはりせき板取付枠ユニットＶが縦端太材の役割を果たすので、縦端太材を固定する必要はない。その後、コンクリートを打設し、養生・硬化させる。そして、横端太材他の支保工を取り外し、せき板取付枠ユニットＶの表面や、せき板Ｓの表面に内外装部材Ｎを釘、ビスで固定し仕上げを行う。
せき板取付枠ユニットＶは、セパレーターを取り付ける必要がないので、作業効率を高めることができる。【００２１】
（実施形態３、４の変形例）
上記実施形態３に係るせき板取付枠Ｚでは、角パイプ状の柱体５１を用いているが、柱体５１を図１４（ａ）に示すせき板取付枠Ｚ２のように細長い板状の柱体１０１としてもよい。このようにすることで、構造を単純化して、製造コストを低減することができる。この場合、柱体１０１にネジ孔からなるセパレーター孔を形成することができないので、図１４（ａ）に示すように、せき板取付枠Ｚにおいて背面板５２に形成されていた貫通孔６２の部分にネジ孔を形成しセパレーター孔１１２とする。
また、同様に実施形態４に係るせき板取付枠ユニットＶにおいても、角パイプ状の柱体５１を図１４（ｂ）に示すせき板取付枠ユニットＶ２のように細長い板状の柱体１０１とすることで、構造を単純に製造コストを低減することができる。この場合、雄ねじ９１は、柱体内に設けることができないので、図１４（ｂ）に示すように背面板５２に設けることとなる。なお、背面板５２に雄ねじ５２を立設するために、脚板５３は、実施形態３に係るせき板取付枠ユニットＺのように雄ねじ９１の位置を空けるように複数の短冊状の板体により形成される。
【図面の簡単な説明】
【００２２】
【図１】（ａ）は実施形態１に係るせき板取付枠を表面側から見た部分斜視図であり、（ｂ）は実施形態１に係るせき板取付枠を裏面側から見た部分斜視図である。
【図２】実施形態１に係るせき板取付枠の横断面図である。
【図３】実施形態１に係るせき板取付枠の使用状態を示す横断面図である。
【図４】（ａ）は実施形態１に係るせき板取付枠の変形例を示す部分斜視図であり、（ｂ）は  実施形態１に係るせき板取付枠の変形例の横断面図である。（ｃ）は実施形態１に係るせき板取付枠の変形例の使用状態を示す横断面図である。
【図５】（ａ）は実施形態２に係るせき板取付枠を表面側から見た部分斜視図であり、（ｂ）は実施形態２に係るせき板取付枠を裏面側から見た部分斜視図である。
【図６】実施形態２に係るせき板取付枠の使用状態を示す横断面図である。
【００２３】
【図７】（ａ）は実施形態３に係るせき板取付枠を表面側から見た部分斜視図であり、（ｂ）は実施形態３に係るせき板取付枠を裏面側から見た部分斜視図である。
【図８】（ａ）は連結レールを示す部分斜視図であり、（ｂ）は中間連結レールを示す部分斜視図である。
【図９】実施形態３に係るせき板取付枠の使用状態を示す横断面図である。
【図１０】外隅せき板取付枠を示す部分斜視図である。
【図１１】外隅せき板取付枠及び実施形態３に係るせき板取付枠の使用状態を示す建築物コーナー部分の横断面図である。
【図１２】（ａ）は実施形態４に係るせき板取付枠を示す部分斜視図である。
【図１３】実施形態４に係るせき板取付枠の使用状態を示す横断面図である。
【図１４】（ａ）は実施形態３に係るせき板取付枠の変形例を示す部分斜視図であり、（ｂ）は実施形態４に係るせき板取付枠の変形例を示す部分斜視図である。
【符号の説明】
【００２４】
Ｘ、Ｘ２、Ｙ、Ｚ、Ｚ２        せき板取付枠
Ｖ、Ｖ２  せき板取付枠ユニット
Ｂ、Ｂ１、Ｂ２  せき板
Ｓ  セパレーター
Ｆ  フォーム固定具
Ｎ  内外装部材
１０ａ、１０ｂ、５０ａ  せき板保持部
１４  アンカー部材
２１、４１、６１、１１２  セパレーター孔
３０、４５、７０  空洞部
３１、７１  開口
４０、５１、１０１  柱体
４０ａ、４０ｂ  縦溝
４３  蟻溝
９１  雄ねじ
１２０  セパレーター板
【図１】
2008149543.tif 000003
【図２】
2008149543.tif 000004
【図３】
2008149543.tif 000005
【図４】
2008149543.tif 000006
【図５】
2008149543.tif 000007
【図６】
2008149543.tif 000008
【図７】
2008149543.tif 000009
【図８】
2008149543.tif 000010
【図９】
2008149543.tif 000011
【図１０】
2008149543.tif 000012
【図１１】
2008149543.tif 000013
【図１２】
2008149543.tif 000014
【図１３】
2008149543.tif 000015
【図１４】
2008149543.tif 000016
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
コンクリート型枠工法に用いる、せき板の側縁を固定する枠であって、
上下に延びる長尺の本体と、
前記本体の少なくとも一方の側面に形成される、せき板側縁に係合する縦溝からなるせき板保持部と、
本体表面から背面側に向って形成される、フォーム固定具基端部が収まる空間からなる空洞部と、
本体背面から前記空洞部に至る貫通孔からなる、一以上のセパレーター孔とを有し、
前記せき板保持部は、第一の縦溝からなる第一保持部と、第一保持部の底面に形成される第一保持部の溝幅よりも狭い溝幅を有する第二の縦溝からなる第二保持部とを有するせき板取り付け枠。
【請求項５】
（削除）
【請求項６】
（削除）
【請求項７】
コンクリート型枠工法に用いる、せき板の側縁を固定する枠であって、
上下に延びる長尺の本体と、
前記本体の少なくとも一方の側面に形成される、せき板側縁に係合する縦溝からなるせき板保持部と、
本体表面から背面側に向って形成される、フォーム固定具基端部が収まる空間からなる空洞部と、
本体背面から前記空洞部に至る貫通孔からなる、一以上のセパレーター孔とを有し、
前記本体の裏面には、長手方向に延びる蟻溝が形成されるせき板取付枠。
【請求項８】
上下に延びる長尺の本体と、前記本体の少なくとも一方の側面に形成される、せき板側縁に係合する縦溝からなるせき板保持部と、本体表面から背面側に向って形成される、フォーム固定具基端部が収まる空間からなる空洞部と、前記空洞部内に立設された雄ねじとを有する、２のせき板取り付け枠を、一定間隔を空けて裏面同士が向かい合うように対向させ、各裏面同士を板材もしくは棒材により連結固定した、せき板取り付け粋ユニット。
【請求項９】
（削除）
【請求項１０】
請求項８項に記載のせき板取付枠ユニットとせき板とを係合させて立設するせき板設置工程と、
前記空洞部内に突出する雄ねじに対し、前記空洞部表面側からフォーム固定具基端部を通し、フォーム固定具により支保工を固定する支保工固定工程と、
コンクリートを打設してコンクリート躯体を形成するコンクリート打設工程と、
支保工及びフォーム固定具を取り外す除去工程と
を有するコンクリート構造物の型枠工法。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
コンクリート型枠工法に用いる、せき板の側縁を固定する枠であって、
上下に延びる長尺の本体と、
前記本体の少なくとも一方の側面に形成される、せき板側縁に係合する縦溝からなるせき板保持部と、
本体表面から背面側に向って形成される、フォーム固定具基端部が収まる空間からなる空洞部と、
本体背面から前記空洞部に至る貫通孔からなる、一以上のセパレーター孔とを有し、
前記せき板保持部は、第一の縦溝からなる第一保持部と、第一保持部の底面に形成される第一保持部の溝幅よりも狭い溝幅を有する第二の縦溝からなる第二保持部とを有するせき板取り付け枠。
【請求項２】
コンクリート型枠工法に用いる、せき板の側縁を固定する枠であって、
上下に延びる長尺の本体と、
前記本体の少なくとも一方の側面に形成される、せき板側縁に係合する縦溝からなるせき板保持部と、
本体表面から背面側に向って形成される、フォーム固定具基端部が収まる空間からなる空洞部と、
本体背面から前記空洞部に至る貫通孔からなる、一以上のセパレーター孔とを有し、
前記本体の裏面には、長手方向に延びる蟻溝が形成されるせき板取付枠。
【請求項３】
上下に延びる長尺の本体と、前記本体の少なくとも一方の側面に形成される、せき板側縁に係合する縦溝からなるせき板保持部と、本体表面から背面側に向って形成される、フォーム固定具基端部が収まる空間からなる空洞部と、前記空洞部内に立設された雄ねじとを有する、２のせき板取り付け枠を、一定間隔を空けて裏面同士が向かい合うように対向させ、各裏面同士を板材もしくは棒材により連結固定した、せき板取り付け枠ユニット。
【請求項４】
請求項３に記載のせき板取付枠ユニットとせき板とを係合させて立設するせき板設置工程と、
前記空洞部内に突出する雄ねじに対し、前記空洞部表面側からフォーム固定具基端部を通し、フォーム固定具により支保工を固定する支保工固定工程と、
コンクリートを打設してコンクリート躯体を形成するコンクリート打設工程と、
支保工及びフォーム固定具を取り外す除去工程と
を有するコンクリート構造物の型枠工法。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、コンクリート型枠工法に用いる、せき板の側縁を固定する枠であって、上下に延びる長尺の本体と、前記本体の少なくとも一方の側面に形成される、せき板側縁に係合する縦溝からなるせき板保持部と、本体表面から背面側に向って形成される、フォーム固定具基端部が収まる空間からなる空洞部と、本体背面から前記空洞部に至る貫通孔からなる、一以上のセパレーター孔とを有し、前記せき板保持部は、第一の縦溝からなる第一保持部と、第一保持部の底面に形成される第一保持部の溝幅よりも狭い溝幅を有する第二の縦溝からなる第二保持部とを有するせき板取り付け枠である。なお、縦溝は側面に穴や切り欠きが形成されていてもよい。
【手続補正３】
【補正対象書類名】明細書
【補正対象項目名】０００５
【補正方法】変更
【補正の内容】
【０００５】
請求項２に記載の発明は、コンクリート型枠工法に用いる、せき板の側縁を固定する枠であって、上下に延びる長尺の本体と、前記本体の少なくとも一方の側面に形成される、せき板側縁に係合する縦溝からなるせき板保持部と、本体表面から背面側に向って形成される、フォーム固定具基端部が収まる空間からなる空洞部と、本体背面から前記空洞部に至る貫通孔からなる、一以上のセパレーター孔とを有し、前記本体の裏面には、長手方向に延びる蟻溝が形成されるせき板取付枠である。
請求項３に記載の発明は、上下に延びる長尺の本体と、前記本体の少なくとも一方の側面に形成される、せき板側縁に係合する縦溝からなるせき板保持部と、本体表面から背面側に向って形成される、フォーム固定具基端部が収まる空間からなる空洞部と、前記空洞部内に立設された雄ねじとを有する、２のせき板取り付け枠を、一定間隔を空けて裏面同士が向かい合うように対向させ、各裏面同士を板材もしくは棒材により連結固定した、せき板取り付け枠ユニットである。
【手続補正４】
【補正対象書類名】明細書
【補正対象項目名】０００６
【補正方法】変更
【補正の内容】
【０００６】
請求項４に記載の発明は、請求項３に記載のせき板取付枠ユニットとせき板とを係合させて立設するせき板設置工程と、前記空洞部内に突出する雄ねじに対し、前記空洞部表面側からフォーム固定具基端部を通し、フォーム固定具により支保工を固定する支保工固定工程と、コンクリートを打設してコンクリート躯体を形成するコンクリート打設工程と、支保工及びフォーム固定具を取り外す除去工程とを有するコンクリート構造物の型枠工法である。
【手続補正５】
【補正対象書類名】明細書
【補正対象項目名】０００７
【補正方法】変更
【補正の内容】
【０００７】
請求項１に記載の発明は、せき板を解体せずにコンクリート躯体の一部として残すコンクリート型枠工法において、せき板保持部によりせき板を保持した状態において、セパレーターの端部が空洞部に収まり、この空洞部にフォーム固定具端部を固定して支保工を組むことができ、コンクリート硬化後支保工を解体するとセパレーターの端部が表面側に突出しないので、セパレーターの端部を切断することなく、枠体表面側に内外装材を設けることができ、さらに、第一保持部と第二保持部の２つの幅の異なる保持部を有するので、異なる２種類の厚さを有するせき板に用いることができる。
【手続補正６】
【補正対象書類名】明細書
【補正対象項目名】０００８
【補正方法】変更
【補正の内容】
【０００８】
請求項２に記載の発明は、本体の裏面に蟻溝を設けることで、コンクリート打設時にコンクリートが蟻溝内に充填され、この状態でコンクリートが硬化すると、コンクリート躯体から本体が構造的に抜けなくなるので、コンクリート躯体と本体とがしっかりと固定されることになる。
請求項３に記載の発明は、請求項１に記載の発明と同様、コンクリート硬化後は雄ねじが空洞内部に隠れるので、支保工を解体すると直ぐに内外装部材を固定することができる。そして、セパレーターを固定する必要がないので、型枠組み立てに際して、作業労力を低減することができる。
【手続補正７】
【補正対象書類名】明細書
【補正対象項目名】０００９
【補正方法】変更
【補正の内容】
【０００９】
請求項４に記載の発明は、やはり、支保工を枠本体に固定するので、縦端太材を固定することが不要となり、フォーム固定具を取り外すと、直ちに内外装部材を枠表面に固定することができる。さらに、型枠組み立て時にセパレーターを固定する作業が不要であるので作業労力を低減することができる。
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
上下に延びる長尺の本体と、前記本体の少なくとも一方の側面に形成される、せき板側縁に係合する縦溝からなるせき板保持部と、本体表面から裏面側に向って形成される、フォーム固定具基端部が収まる空間からなる空洞部と、前記空洞部内に立設された雄ねじとを有する、２のせき板取り付け枠を、一定間隔を空けて裏面同士が向かい合うように対向させ、各裏面同士を板材もしくは棒材により連結固定した、せき板取り付け枠ユニット。
【請求項２】
前記せき板保持部は、第一の縦溝からなる第一保持部と、第一保持部の底面に形成される第一保持部の溝幅よりも狭い溝幅を有する第二の縦溝からなる第二保持部とを有する請求項１に記載のせき板取り付けユニット。
【請求項３】
前記本体の裏面には、長手方向に延びる蟻溝が形成される請求項１に記載のせき板取り付けユニット。
【請求項４】
請求項１から３のいずれかに記載のせき板取付枠ユニットとせき板とを係合させて立設するせき板設置工程と、
前記空洞部内に突出する雄ねじに対し、前記空洞部表面側からフォーム固定具基端部を通し、フォーム固定具により支保工を固定する支保工固定工程と、
コンクリートを打設してコンクリート躯体を形成するコンクリート打設工程と、
支保工及びフォーム固定具を取り外す除去工程と
を有するコンクリート構造物の型枠工法。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、上下に延びる長尺の本体と、前記本体の少なくとも一方の側面に形成される、せき板側縁に係合する縦溝からなるせき板保持部と、本体表面から裏面側に向って形成される、フォーム固定具基端部が収まる空間からなる空洞部と、前記空洞部内に立設された雄ねじとを有する、２のせき板取り付け枠を、一定間隔を空けて裏面同士が向かい合うように対向させ、各裏面同士を板材もしくは棒材により連結固定した、せき板取り付け枠ユニットである。
【手続補正３】
【補正対象書類名】明細書
【補正対象項目名】０００５
【補正方法】変更
【補正の内容】
【０００５】
請求項２に記載の発明は、請求項１に記載のせき板取り付け枠ユニットにおいて、前記せき板保持部は、第一の縦溝からなる第一保持部と、第一保持部の底面に形成される第一保持部の溝幅よりも狭い溝幅を有する第二の縦溝からなる第二保持部とを有するものである。なお、縦溝は側面に穴や切り欠きが形成されていてもよい。
請求項３に記載の発明は、請求項１に記載のせき板取り付け枠ユニットにおいて、前記本体の裏面には、長手方向に延びる蟻溝が形成されるものである。
【手続補正４】
【補正対象書類名】明細書
【補正対象項目名】０００６
【補正方法】変更
【補正の内容】
【０００６】
請求項４に記載の発明は、請求項１から３のいずれかに記載のせき板取付枠ユニットとせき板とを係合させて立設するせき板設置工程と、前記空洞部内に突出する雄ねじに対し、前記空洞部表面側からフォーム固定具基端部を通し、フォーム固定具により支保工を固定する支保工固定工程と、コンクリートを打設してコンクリート躯体を形成するコンクリート打設工程と、支保工及びフォーム固定具を取り外す除去工程とを有するコンクリート構造物の型枠工法である。
【手続補正５】
【補正対象書類名】明細書
【補正対象項目名】０００７
【補正方法】変更
【補正の内容】
【０００７】
請求項１に記載の発明は、せき板を解体せずにコンクリート躯体の一部として残すコンクリート型枠工法において、せき板保持部によりせき板を保持した状態において、雄ねじが空洞部に収まり、この空洞部にフォーム固定具端部を固定して支保工を組むことができ、コンクリート硬化後支保工を解体すると雄ねじが空洞内部に隠れるので、支保工を解体すると直ぐに内外装部材を固定することができる。そして、セパレーターを固定する必要がないので、型枠組み立てに際して、作業労力を低減することができる。
【手続補正６】
【補正対象書類名】明細書
【補正対象項目名】０００８
【補正方法】変更
【補正の内容】
【０００８】
請求項２に記載の発明は、第一保持部と第二保持部の２つの幅の異なる保持部を有するので、異なる２種類の厚さを有するせき板に用いることができる。
請求項３に記載の発明は、本体の裏面に蟻溝を設けることで、コンクリート打設時にコンクリートが蟻溝内に充填され、この状態でコンクリートが硬化すると、コンクリート躯体から本体が構造的に抜けなくなるので、コンクリート躯体と本体とがしっかりと固定されることになる。
【国際調査報告】
2008149543.tif 000017
2008149543.tif 000018
2008149543.tif 000019
2008149543.tif 000020